(57)【要約】【課題】アフィリエイトウェブページサイトに設ける広告主のためのリンクアドレスと、広告主のショップサイトのウェブページアドレスとを一致させ、検索ウェブサイトにおいて有効にランクを上げること。【解決手段】端末装置が、アフィリエイター用サーバ装置に記憶したアフィリエイトウェブページファイル、広告主用サーバ装置に記憶したショップウェブページファイル、アクション完了ウェブページファイルにそれぞれアクセスすることにより、アフィリエイトサービスプロバイダー用サーバ装置に設けたトラッキング装置をそれぞれ実行せしめ、上記端末装置の固有番号情報を取得し、上記得られた３つの固有番号情報が一致するか否かを判断するアフィリエイトサイト管理システム。【選択図】図１
2010061651.tif 000002
【特許請求の範囲】
【請求項１】
端末装置が、
ネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、
上記端末装置のモニタにアフィリエイトウェブページサイトを表示せしめることにより、
上記アフィリエイトウェブページファイルに設けた第一のタグを実行せしめ、上記アフィリエイトサービスプロバイダー用サーバ装置に設けた上記トラッキング装置にアクセスせしめる第一のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第二のステップと、
上記端末装置が、
ネットワークを介して、上記広告主用サーバ装置に記憶した、アフィリエイトサービスプロバイダー用サーバ装置に設けたトラッキング装置にアクセスせしめる第二のタグを有するショップウェブページファイルにアクセスし、
上記端末装置のモニタにショップウェブページサイトを表示せしめることにより、
上記ショップウェブページファイルに設けた第二のタグを実行せしめ、上記アフィリエイトサービスプロバイダー用サーバ装置に設けたトラッキング装置にアクセスせしめる第三のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第四のステップと、
上記端末装置が、
ネットワークを介して、上記広告主用サーバ装置に記憶した、アフィリエイトサービスプロバイダー用サーバ装置に設けたトラッキング装置にアクセスせしめる第三のタグを有するアクション完了ウェブページファイルにアクセスし、
上記端末装置のモニタにアクション完了ウェブページサイトを表示せしめることにより、
上記アクション完了ウェブページファイルに設けた第三のタグを実行せしめ、上記アフィリエイトサービスプロバイダー用サーバ装置に設けたトラッキング装置にアクセスせしめる第五のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六のステップと、
上記アフィリエイトサービスプロバイダー用サーバ装置の管理装置が、
上記記憶装置に記憶した、上記第二ステップで取得した端末装置の固有番号情報と、上記第四ステップで取得した端末装置の固有番号情報と、上記第六ステップで取得した端末装置の固有番号情報とが一致するかどうか判断し、
一致した場合には、上記端末装置が上記アフィリエイトウェブページサイトから上記ショップウェブページサイトに移動し、所定のアクションが実行されたと判断する第七のステップと
よりなることを特徴とするアフィリエイトサイト管理方法。
【請求項２】
端末装置が、
ネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、
上記端末装置のモニタにアフィリエイトウェブページサイトを表示せしめることにより、
上記アフィリエイトウェブページファイルに設けた第一のタグを実行せしめ、上記アフィリエイトサービスプロバイダー用サーバ装置に設けた上記トラッキング装置にアクセスせしめる第一のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第二のステップと、
上記端末装置が、
ネットワークを介して、上記広告主用サーバ装置に記憶したショップウェブページファイルにアクセスし、
上記端末装置のモニタにショップウェブページサイトを表示せしめることにより、
上記広告主用サーバ装置に設けた、上記端末装置にアフィリエイトサービスプロバイダー用サーバ装置に設けたトラッキング装置にアクセスせしめる機能を実現させる第四のタグを実行せしめ、
上記端末装置が上記アフィリエイトサービスプロバイダー用サーバ装置に設けたトラッキング装置にアクセスせしめる第三のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第四のステップと、
上記端末装置が、
ネットワークを介して、上記広告主用サーバ装置に記憶したアクション完了ウェブページファイルにアクセスし、
上記端末装置のモニタにアクション完了ウェブページサイトを表示せしめることにより、
上記広告主用サーバ装置に設けた、上記端末装置にアフィリエイトサービスプロバイダー用サーバ装置に設けたトラッキング装置にアクセスせしめる機能を実現させる第五のタグを実行せしめ、
上記端末装置が上記アフィリエイトサービスプロバイダー用サーバ装置に設けたトラッキング装置にアクセスせしめる第五のステップと、
上記アフィリエイトサービスプロバイダー用サーバ装置の演算処理装置が、
上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六のステップと、
上記アフィリエイトサービスプロバイダー用サーバ装置の管理装置が、
上記記憶装置に記憶した、上記第二ステップで取得した端末装置の固有番号情報と、上記第四ステップで取得した端末装置の固有番号情報と、上記第六ステップで取得した端末装置の固有番号情報とが一致するかどうか判断し、
一致した場合には、上記端末装置が上記アフィリエイトウェブページサイトから上記ショップウェブページサイトに移動し、所定のアクションが実行されたと判断する第七のステップと
よりなることを特徴とするアフィリエイトサイト管理方法。
【請求項３】
端末装置を、
端末装置がネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、
上記端末装置のモニタにアフィリエイトウェブページサイトを表示せしめることにより、
上記アフィリエイトウェブページファイルに設けた第一のタグを実行させ、上記アフィリエイトサービスプロバイダー用サーバ装置に設けたトラッキング装置にアクセスせしめる第一の手段と、
端末装置がネットワークを介して、上記広告主用サーバ装置に記憶した、アフィリエイトサービスプロバイダー用サーバ装置に設けたトラッキング装置にアクセスせしめる第二のタグを有するショップウェブページファイルにアクセスし、
上記端末装置のモニタにショップウェブページサイトを表示せしめることにより、
上記ショップウェブページファイルに設けた第二のタグを実行させ、上記アフィリエイトサービスプロバイダー用サーバ装置に設けたトラッキング装置にアクセスせしめる第二の手段と、
端末装置がネットワークを介して、上記広告主用サーバ装置に記憶した、アフィリエイトサービスプロバイダー用サーバ装置に設けたトラッキング装置にアクセスせしめる第三のタグを有するアクション完了ウェブページファイルにアクセスし、
上記端末装置のモニタにアクション完了ウェブページサイトを表示せしめることにより、
上記アクション完了ウェブページファイルに設けた第三のタグを実行させ、上記アフィリエイトサービスプロバイダー用サーバ装置に設けたトラッキング装置にアクセスせしめる第三の手段と
して機能させ、
上記アフィリエイトサービスプロバイダー用サーバ装置の演算処理装置を、
上記第一の手段のアクセスにより上記トラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第四の手段と、
上記第二の手段のアクセスにより上記トラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第五の手段と、
上記第三の手段のアクセスにより上記トラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六の手段と、
上記第四の手段により取得した固有番号情報と、上記第五の手段により取得した固有番号情報と、上記第六の手段で取得した固有番号情報とが一致するかどうか判断し、
一致した場合には、上記端末装置が上記アフィリエイトウェブページサイトから上記ショップウェブページサイトに移動し、所定のアクションが実行されたと判断する第七の手段と
して機能させることを特徴とするアフィリエイトサイト管理プログラム。
【請求項４】
端末装置を、
端末装置がネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、
上記端末装置のモニタにアフィリエイトウェブページサイトを表示せしめることにより、
上記アフィリエイトウェブページファイルに設けた第一のタグを実行させ、上記アフィリエイトサービスプロバイダー用サーバ装置に設けたトラッキング装置にアクセスせしめる第一の手段と、
端末装置がネットワークを介して、上記広告主用サーバ装置に記憶したショップウェブページファイルにアクセスし、
上記端末装置のモニタにショップウェブページサイトを表示せしめることにより、
上記広告主用サーバ装置に設けた、上記端末装置にアフィリエイトサービスプロバイダー用サーバ装置に設けたトラッキング装置にアクセスせしめる機能を実現する第四のタグを実行せしめ、
上記端末装置が上記アフィリエイトサービスプロバイダー用サーバ装置に設けたトラッキング装置にアクセスせしめる第二の手段と、
端末装置がネットワークを介して、上記広告主用サーバ装置に記憶したアクション完了ウェブページファイルにアクセスし、
上記端末装置のモニタにアクション完了ウェブページサイトを表示せしめることにより、
上記広告主用サーバ装置に設けた、上記端末装置にアフィリエイトサービスプロバイダー用サーバ装置に設けたトラッキング装置にアクセスせしめる機能を実現させる第五のタグを実行せしめ、
上記端末装置が上記アフィリエイトサービスプロバイダー用サーバ装置に設けたトラッキング装置にアクセスせしめる第三の手段と
して機能させ、
上記アフィリエイトサービスプロバイダー用サーバ装置の演算処理装置を、
上記第一の手段のアクセスにより上記トラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第四の手段と、
上記第二の手段のアクセスにより上記トラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第五の手段と、
上記第三の手段のアクセスにより上記トラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六の手段と、
上記第四の手段により取得した固有番号情報と、上記第五の手段により取得した固有番号情報と、上記第六の手段で取得した固有番号情報とが一致するかどうか判断し、
一致した場合には、上記端末装置が上記アフィリエイトウェブページサイトから上記ショップウェブページサイトに移動し、所定のアクションが実行されたと判断する第七の手段と
して機能させることを特徴とするアフィリエイトサイト管理プログラム。
【請求項５】
アフィリエイターが管理するアフィリエイター用サーバ装置と、広告主が管理する広告主用サーバ装置と、アフィリエイトサービスプロバイダーが管理するアフィリエイトサービスプロバイダー用サーバ装置と、上記各サーバ装置にインターネットなどのネットワークを介して接続されたモニタを有する端末装置とよりなり、
上記アフィリエイトサービスプロバイダー用サーバ装置は、端末装置の固有番号情報を取得するトラッキング装置と、上記取得した固有番号情報を記憶する記憶装置と、上記取得した複数の固有番号情報が一致するか否かをなどを管理する管理装置と、上記ネットワークを介してデータを送受信せしめるための送受信装置と、上記各装置を実行せしめるための演算処理装置と、ネットワークに接続せしめるためのネットワーク接続装置とよりなり、
上記アフィリエイター用サーバ装置は、アフィリエイトウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、
上記広告主用サーバ装置は、ショップウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、
上記アフィリエイター用サーバ装置の記憶装置は、
上記端末装置に、広告主のショップウェブページファイルにアクセスし上記端末装置のモニタにショップウェブページサイトを表示せしめるリンクと端末装置に上記アフィリエイトサービスプロバイダー用サーバ装置のトラッキング装置にアクセスせしめる第一のタグとを有するアフィリエイトウェブページファイルを有し、
上記広告主用サーバ装置の記憶装置は、
上記端末装置に、上記アフィリエイトサービスプロバイダー用サーバ装置のトラッキング装置にアクセスせしめる第二のタグを有するショップウェブページファイルと、
上記端末装置に、上記アフィリエイトサービスプロバイダー用サーバ装置に設けたトラッキング装置にアクセスせしめる第三のタグを有するアクション完了ウェブページファイルとを有し、
上記端末装置が、上記アフィリエイター用サーバ装置の記憶装置に設けたアフィリエイトウェブページファイルにアクセスし、上記端末装置のモニタにアフィリエイトウェブページサイトを表示せしめた時、
上記アフィリエイトウェブページファイルの第一のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめ、
上記端末装置が、上記広告主用サーバ装置に記憶したショップウェブページファイルにアクセスし、上記端末装置のモニタにショップウェブページサイトを表示せしめた時、
上記ショップウェブページファイルの第二のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめ、
上記端末装置が、上記広告主用サーバ装置に記憶したアクション完了ウェブページファイルにアクセスし、上記端末装置のモニタにアクション完了ウェブページサイトを表示せしめた時、
上記アクション完了ウェブページファイルの第三のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめ、
上記第一のタグにより取得された端末装置の固有番号情報と、上記第二のタグにより取得された端末装置の固有番号情報と、上記第三のタグにより取得された端末装置の固有番号情報とを比較して、
一致した場合には、上記端末装置が上記アフィリエイトウェブページサイトから上記ショップウェブページサイトに移動し、所定のアクションが実行されたと判断することを特徴とするアフィリエイトサイト管理システム。
【請求項６】
アフィリエイターが管理するアフィリエイター用サーバ装置と、広告主が管理する広告主用サーバ装置と、アフィリエイトサービスプロバイダーが管理するアフィリエイトサービスプロバイダー用サーバ装置と、上記各サーバ装置にインターネットなどのネットワークを介して接続されたモニタを有する端末装置とよりなり、
上記アフィリエイトサービスプロバイダー用サーバ装置は、端末装置の固有番号情報を取得するトラッキング装置と、上記取得した固有番号情報を記憶する記憶装置と、上記取得した複数の固有番号情報が一致するか否かをなどを管理する管理装置と、上記ネットワークを介してデータを送受信せしめるための送受信装置と、上記各装置を実行せしめるための演算処理装置と、ネットワークに接続せしめるためのネットワーク接続装置とよりなり、
上記アフィリエイター用サーバ装置は、アフィリエイトウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、
上記広告主用サーバ装置は、ショップウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、
上記アフィリエイター用サーバ装置の記憶装置は、
上記端末装置に、広告主のショップウェブページファイルにアクセスし上記端末装置のモニタにショップウェブページサイトを表示せしめるリンクと端末装置に上記アフィリエイトサービスプロバイダー用サーバ装置のトラッキング装置にアクセスせしめる第一のタグとを有するアフィリエイトウェブページファイルを有し、
上記広告主用サーバ装置の記憶装置は、
ショップウェブページファイルと、上記端末装置に上記アフィリエイトサービスプロバイダー用サーバ装置のトラッキング装置にアクセスせしめる第四のタグと、アクション完了ウェブページファイルと、上記端末装置に上記アフィリエイトサービスプロバイダー用サーバ装置に設けたトラッキング装置にアクセスせしめる第五のタグとを有し、
上記端末装置が、上記アフィリエイター用サーバ装置の記憶装置に設けたアフィリエイトウェブページファイルにアクセスし、上記端末装置のモニタにアフィリエイトウェブページサイトを表示せしめた時、
上記アフィリエイトウェブページファイルの第一のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめ、
上記端末装置が、上記広告主用サーバ装置に記憶したショップウェブページファイルにアクセスし、上記端末装置のモニタにショップウェブページサイトを表示せしめた時、
上記広告主サーバ装置の記憶装置の第四のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめ、
上記端末装置が、上記広告主用サーバ装置に記憶したアクション完了ウェブページファイルにアクセスし、上記端末装置のモニタにアクション完了ウェブページサイトを表示せしめた時、
上記広告主用サーバ装置の記憶装置の第五のタグを実行せしめ、上記アフィリエイトサービスプロバイダー用サーバ装置のトラッキング装置にアクセスせしめ、
上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめ、
上記第一のタグにより取得された端末装置の固有番号情報と、上記第四のタグにより取得された端末装置の固有番号情報と、上記第五のタグにより取得された端末装置の固有番号情報とを比較して、
一致した場合には、上記端末装置が上記アフィリエイトウェブページサイトから上記ショップウェブページサイトに移動し、所定のアクションが実行されたと判断することを特徴とするアフィリエイトサイト管理システム。
【発明の詳細な説明】
【技術分野】
【０００１】
本発明はアフィリエイトサイト管理システム、管理方法及び管理プログラム、特に広告主のショップウェブページサイトのウェブページサイトアドレスと、アフィリエイトウェブページサイトに設ける、上記広告主のショップウェブページサイトに移動するためのリンクアドレスとを一致せしめたアフィリエイトサイト管理システム、管理方法及び管理プログラムに関するものである。
【背景技術】
【０００２】
近年、インターネットなどのネットワークを利用したオンラインショッピングにおける広告手段として、アフィリエイトサイト管理システムがある。このアフィリエイトサイト管理システムは、アフィリエイターと呼ばれる個人や法人が、アフィリエイトサービスプロバイダーと呼ばれる仲介業者を介して、商品を広告したい広告主と提携し、上記アフィリエイターが管理するブログ等のウェブページサイト（以下、アフィリエイトウェブページサイト）に上記広告主の商品の記事や上記広告主のウェブページサイト（以下、ショップウェブページサイト）に移動できるリンクなどを掲載し、そのリンクをクリックすれば、上記ショップウェブページサイトに移動することができる。
【０００３】
上記アフィリエイトウェブページサイトには上記広告主の商品の魅力などを記載せしめ、上記アフィリエイトウェブページサイトを訪れた一般ユーザーが上記商品を気に入り、上記アフィリエイトウェブページサイトに記載された広告主のリンクをクリックして、上記広告主のショップウェブページサイトに訪れ、その商品をその一般ユーザーが購入したり、資料請求などのアクションをした場合に、その一般ユーザーのアクションに応じて、上記広告主から上記アフィリエイトサービスプロバイダーを介してアフィリエイターに報酬がもらえるシステムである。
【０００４】
従来のこのシステムにおいては、携帯電話やパーソナルコンピュータなどの端末装置のモニタに表示されたアフィリエイトウェブページサイトに設けたリンクをクリックすることにより、上記端末装置がアフィリエイトサービスプロバイダーが管理する、上記アフィリエイター毎に割り当てられたアフィリエイトサービスプロバイダー用サーバ装置にアクセスし、そこから広告主のショップウェブページサイトを上記端末装置のモニタに表示せしめるようにし、また、上記アフィリエイトサービスプロバイダー用サーバ装置に設けた一般ユーザ監視装置により、上記ショップウェブページサイトに訪れた一般ユーザーのアフィリエイトウェブページサイトを特定し、その後の一般ユーザーのアクションを監視し、所定のアクションをした場合には、その情報をアフィリエイトサービスプロバイダーが記録していた。
【０００５】
すなわち、上記広告主のショップウェブページサイトのウェブページアドレスが、例えば、http://www.abc.netであるとすれば、上記アフィリエイトウェブページサイトに設けるリンクのアドレスは、例えば、http://www.oseose.jp/add.php?a=123 and f=345など上記アドレスとは異なるアフィリエイトサービスプロバイダー用サーバ装置のアドレスであり、このアドレスへのアクセスにより広告主のショップウェブページサイトを表示せしめていた。
【発明の概要】
【発明が解決しようとする課題】
【０００６】
通常、ウェブページのアクセス数の多さは、各検索ウェブページサイトにおいて掲載されるランク（掲載順位）に影響を与える。そして、そのアクセス数のカウント数は、上記ウェブページサイト自体のアクセス以外に、そのウェブページをリンクした他人のウェブページがアクセスされた場合にも増やすことができる。従って、自己のウェブページのウェブページアドレスと、他人のウェブページにリンクされるウェブページアドレスが一致することが、上記検索ウェブサイトにおけるランクを優位にすることができる。
【０００７】
しかしながら、上記アフィリエイトウェブページサイトに設ける広告主のためのリンクアドレスは、http://www.oseose.jp/add.php?a=123 and f=345のように、上記広告主のショップサイトのウェブページアドレスhttp://www.abc.netと異り、検索ウェブサイトにおいて有効にランクを上げることができないという欠点があった。
【０００８】
本発明は上記のような欠点を除くようにしたものである。
【課題を解決するための手段】
【０００９】
本発明のアフィリエイトサイト管理方法は、端末装置が、ネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、上記端末装置のモニタにアフィリエイトウェブページサイトを表示せしめることにより、上記アフィリエイトウェブページファイルに設けた第一のタグを実行せしめ、上記アフィリエイトサービスプロバイダー用サーバ装置に設けた上記トラッキング装置にアクセスせしめる第一のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第二のステップと、上記端末装置が、ネットワークを介して、上記広告主用サーバ装置に記憶した、アフィリエイトサービスプロバイダー用サーバ装置に設けたトラッキング装置にアクセスせしめる第二のタグを有するショップウェブページファイルにアクセスし、上記端末装置のモニタにショップウェブページサイトを表示せしめることにより、上記ショップウェブページファイルに設けた第二のタグを実行せしめ、上記アフィリエイトサービスプロバイダー用サーバ装置に設けたトラッキング装置にアクセスせしめる第三のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第四のステップと、上記端末装置が、ネットワークを介して、上記広告主用サーバ装置に記憶した、アフィリエイトサービスプロバイダー用サーバ装置に設けたトラッキング装置にアクセスせしめる第三のタグを有するアクション完了ウェブページファイルにアクセスし、上記端末装置のモニタにアクション完了ウェブページサイトを表示せしめることにより、上記アクション完了ウェブページファイルに設けた第三のタグを実行せしめ、上記アフィリエイトサービスプロバイダー用サーバ装置に設けたトラッキング装置にアクセスせしめる第五のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六のステップと、上記アフィリエイトサービスプロバイダー用サーバ装置の管理装置が、上記記憶装置に記憶した、上記第二ステップで取得した端末装置の固有番号情報と、上記第四ステップで取得した端末装置の固有番号情報と、上記第六ステップで取得した端末装置の固有番号情報とが一致するかどうか判断し、一致した場合には、上記端末装置が上記アフィリエイトウェブページサイトから上記ショップウェブページサイトに移動し、所定のアクションが実行されたと判断する第七のステップとよりなることを特徴とする。
【００１０】
本発明のアフィリエイトサイト管理方法は、端末装置が、ネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、上記端末装置のモニタにアフィリエイトウェブページサイトを表示せしめることにより、上記アフィリエイトウェブページファイルに設けた第一のタグを実行せしめ、上記アフィリエイトサービスプロバイダー用サーバ装置に設けた上記トラッキング装置にアクセスせしめる第一のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第二のステップと、上記端末装置が、ネットワークを介して、上記広告主用サーバ装置に記憶したショップウェブページファイルにアクセスし、上記端末装置のモニタにショップウェブページサイトを表示せしめることにより、上記広告主用サーバ装置に設けた、上記端末装置にアフィリエイトサービスプロバイダー用サーバ装置に設けたトラッキング装置にアクセスせしめる機能を実現させる第四のタグを実行せしめ、上記端末装置が上記アフィリエイトサービスプロバイダー用サーバ装置に設けたトラッキング装置にアクセスせしめる第三のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第四のステップと、上記端末装置が、ネットワークを介して、上記広告主用サーバ装置に記憶したアクション完了ウェブページファイルにアクセスし、上記端末装置のモニタにアクション完了ウェブページサイトを表示せしめることにより、上記広告主用サーバ装置に設けた、上記端末装置にアフィリエイトサービスプロバイダー用サーバ装置に設けたトラッキング装置にアクセスせしめる機能を実現させる第五のタグを実行せしめ、上記端末装置が上記アフィリエイトサービスプロバイダー用サーバ装置に設けたトラッキング装置にアクセスせしめる第五のステップと、上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六のステップと、上記アフィリエイトサービスプロバイダー用サーバ装置の管理装置が、上記記憶装置に記憶した、上記第二ステップで取得した端末装置の固有番号情報と、上記第四ステップで取得した端末装置の固有番号情報と、上記第六ステップで取得した端末装置の固有番号情報とが一致するかどうか判断し、一致した場合には、上記端末装置が上記アフィリエイトウェブページサイトから上記ショップウェブページサイトに移動し、所定のアクションが実行されたと判断する第七のステップとよりなることを特徴とする。
【００１１】
本発明のアフィリエイトサイト管理プログラムは、端末装置を、端末装置がネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、上記端末装置のモニタにアフィリエイトウェブページサイトを表示せしめることにより、上記アフィリエイトウェブページファイルに設けた第一のタグを実行させ、上記アフィリエイトサービスプロバイダー用サーバ装置に設けたトラッキング装置にアクセスせしめる第一の手段と、端末装置がネットワークを介して、上記広告主用サーバ装置に記憶した、アフィリエイトサービスプロバイダー用サーバ装置に設けたトラッキング装置にアクセスせしめる第二のタグを有するショップウェブページファイルにアクセスし、上記端末装置のモニタにショップウェブページサイトを表示せしめることにより、上記ショップウェブページファイルに設けた第二のタグを実行させ、上記アフィリエイトサービスプロバイダー用サーバ装置に設けたトラッキング装置にアクセスせしめる第二の手段と、端末装置がネットワークを介して、上記広告主用サーバ装置に記憶した、アフィリエイトサービスプロバイダー用サーバ装置に設けたトラッキング装置にアクセスせしめる第三のタグを有するアクション完了ウェブページファイルにアクセスし、上記端末装置のモニタにアクション完了ウェブページサイトを表示せしめることにより、上記アクション完了ウェブページファイルに設けた第三のタグを実行させ、上記アフィリエイトサービスプロバイダー用サーバ装置に設けたトラッキング装置にアクセスせしめる第三の手段として機能させ、上記アフィリエイトサービスプロバイダー用サーバ装置の演算処理装置を、上記第一の手段のアクセスにより上記トラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第四の手段と、上記第二の手段のアクセスにより上記トラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第五の手段と、上記第三の手段のアクセスにより上記トラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六の手段と、上記第四の手段により取得した固有番号情報と、上記第五の手段により取得した固有番号情報と、上記第六の手段で取得した固有番号情報とが一致するかどうか判断し、一致した場合には、上記端末装置が上記アフィリエイトウェブページサイトから上記ショップウェブページサイトに移動し、所定のアクションが実行されたと判断する第七の手段として機能させることを特徴とする。
【００１２】
本発明のアフィリエイトサイト管理プログラムは、端末装置を、端末装置がネットワークを介して、アフィリエイターが管理するアフィリエイター用サーバ装置に記憶した、アフィリエイトサービスプロバイダー用サーバ装置に設けたトラッキング装置にアクセスせしめる第一のタグと広告主が管理する広告主用サーバ装置に記憶したショップウェブページファイルにアクセスし上記端末装置のモニタにショップウェブページサイトを表示せしめるリンクとを有するアフィリエイトウェブページファイルにアクセスし、上記端末装置のモニタにアフィリエイトウェブページサイトを表示せしめることにより、上記アフィリエイトウェブページファイルに設けた第一のタグを実行させ、上記アフィリエイトサービスプロバイダー用サーバ装置に設けたトラッキング装置にアクセスせしめる第一の手段と、端末装置がネットワークを介して、上記広告主用サーバ装置に記憶したショップウェブページファイルにアクセスし、上記端末装置のモニタにショップウェブページサイトを表示せしめることにより、上記広告主用サーバ装置に設けた、上記端末装置にアフィリエイトサービスプロバイダー用サーバ装置に設けたトラッキング装置にアクセスせしめる機能を実現する第四のタグを実行せしめ、上記端末装置が上記アフィリエイトサービスプロバイダー用サーバ装置に設けたトラッキング装置にアクセスせしめる第二の手段と、端末装置がネットワークを介して、上記広告主用サーバ装置に記憶したアクション完了ウェブページファイルにアクセスし、上記端末装置のモニタにアクション完了ウェブページサイトを表示せしめることにより、上記広告主用サーバ装置に設けた、上記端末装置にアフィリエイトサービスプロバイダー用サーバ装置に設けたトラッキング装置にアクセスせしめる機能を実現させる第五のタグを実行せしめ、上記端末装置が上記アフィリエイトサービスプロバイダー用サーバ装置に設けたトラッキング装置にアクセスせしめる第三の手段として機能させ、上記アフィリエイトサービスプロバイダー用サーバ装置の演算処理装置を、上記第一の手段のアクセスにより上記トラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめる第四の手段と、上記第二の手段のアクセスにより上記トラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめる第五の手段と、上記第三の手段のアクセスにより上記トラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめる第六の手段と、上記第四の手段により取得した固有番号情報と、上記第五の手段により取得した固有番号情報と、上記第六の手段で取得した固有番号情報とが一致するかどうか判断し、一致した場合には、上記端末装置が上記アフィリエイトウェブページサイトから上記ショップウェブページサイトに移動し、所定のアクションが実行されたと判断する第七の手段として機能させることを特徴とする。
【００１３】
本発明のアフィリエイトサイト管理システムは、アフィリエイターが管理するアフィリエイター用サーバ装置と、広告主が管理する広告主用サーバ装置と、アフィリエイトサービスプロバイダーが管理するアフィリエイトサービスプロバイダー用サーバ装置と、上記各サーバ装置にインターネットなどのネットワークを介して接続されたモニタを有する端末装置とよりなり、上記アフィリエイトサービスプロバイダー用サーバ装置は、端末装置の固有番号情報を取得するトラッキング装置と、上記取得した固有番号情報を記憶する記憶装置と、上記取得した複数の固有番号情報が一致するか否かをなどを管理する管理装置と、上記ネットワークを介してデータを送受信せしめるための送受信装置と、上記各装置を実行せしめるための演算処理装置と、ネットワークに接続せしめるためのネットワーク接続装置とよりなり、上記アフィリエイター用サーバ装置は、アフィリエイトウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、上記広告主用サーバ装置は、ショップウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、上記アフィリエイター用サーバ装置の記憶装置は、上記端末装置に、広告主のショップウェブページファイルにアクセスし上記端末装置のモニタにショップウェブページサイトを表示せしめるリンクと端末装置に上記アフィリエイトサービスプロバイダー用サーバ装置のトラッキング装置にアクセスせしめる第一のタグとを有するアフィリエイトウェブページファイルを有し、上記広告主用サーバ装置の記憶装置は、上記端末装置に、上記アフィリエイトサービスプロバイダー用サーバ装置のトラッキング装置にアクセスせしめる第二のタグを有するショップウェブページファイルと、上記端末装置に、上記アフィリエイトサービスプロバイダー用サーバ装置に設けたトラッキング装置にアクセスせしめる第三のタグを有するアクション完了ウェブページファイルとを有し、上記端末装置が、上記アフィリエイター用サーバ装置の記憶装置に設けたアフィリエイトウェブページファイルにアクセスし、上記端末装置のモニタにアフィリエイトウェブページサイトを表示せしめた時、上記アフィリエイトウェブページファイルの第一のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめ、上記端末装置が、上記広告主用サーバ装置に記憶したショップウェブページファイルにアクセスし、上記端末装置のモニタにショップウェブページサイトを表示せしめた時、上記ショップウェブページファイルの第二のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめ、上記端末装置が、上記広告主用サーバ装置に記憶したアクション完了ウェブページファイルにアクセスし、上記端末装置のモニタにアクション完了ウェブページサイトを表示せしめた時、上記アクション完了ウェブページファイルの第三のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめ、上記第一のタグにより取得された端末装置の固有番号情報と、上記第二のタグにより取得された端末装置の固有番号情報と、上記第三のタグにより取得された端末装置の固有番号情報とを比較して、一致した場合には、上記端末装置が上記アフィリエイトウェブページサイトから上記ショップウェブページサイトに移動し、所定のアクションが実行されたと判断することを特徴とする。
【００１４】
本発明のアフィリエイトサイト管理システムは、アフィリエイターが管理するアフィリエイター用サーバ装置と、広告主が管理する広告主用サーバ装置と、アフィリエイトサービスプロバイダーが管理するアフィリエイトサービスプロバイダー用サーバ装置と、上記各サーバ装置にインターネットなどのネットワークを介して接続されたモニタを有する端末装置とよりなり、上記アフィリエイトサービスプロバイダー用サーバ装置は、端末装置の固有番号情報を取得するトラッキング装置と、上記取得した固有番号情報を記憶する記憶装置と、上記取得した複数の固有番号情報が一致するか否かをなどを管理する管理装置と、上記ネットワークを介してデータを送受信せしめるための送受信装置と、上記各装置を実行せしめるための演算処理装置と、ネットワークに接続せしめるためのネットワーク接続装置とよりなり、上記アフィリエイター用サーバ装置は、アフィリエイトウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、上記広告主用サーバ装置は、ショップウェブページサイト等を上記端末装置のモニタに表示させるためのウェブページファイル等を記憶せしめた記憶装置と、上記ウェブページファイルをネットワークを介して上記端末装置に表示せしめるためのウェブサーバ装置と、上記ネットワークを介してデータを送受信せしめるための送受信装置と、上記各装置やプログラムを実行せしめるための演算処理装置と、ネットワークに接続せしめるためのネットワーク接続装置とよりなり、上記アフィリエイター用サーバ装置の記憶装置は、上記端末装置に、広告主のショップウェブページファイルにアクセスし上記端末装置のモニタにショップウェブページサイトを表示せしめるリンクと端末装置に上記アフィリエイトサービスプロバイダー用サーバ装置のトラッキング装置にアクセスせしめる第一のタグとを有するアフィリエイトウェブページファイルを有し、上記広告主用サーバ装置の記憶装置は、ショップウェブページファイルと、上記端末装置に上記アフィリエイトサービスプロバイダー用サーバ装置のトラッキング装置にアクセスせしめる第四のタグと、アクション完了ウェブページファイルと、上記端末装置に上記アフィリエイトサービスプロバイダー用サーバ装置に設けたトラッキング装置にアクセスせしめる第五のタグとを有し、上記端末装置が、上記アフィリエイター用サーバ装置の記憶装置に設けたアフィリエイトウェブページファイルにアクセスし、上記端末装置のモニタにアフィリエイトウェブページサイトを表示せしめた時、上記アフィリエイトウェブページファイルの第一のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記アフィリエイトウェブページファイルにアクセスした端末装置の固有番号情報を取得して、上記固有番号情報を上記アフィリエイトサービスプロバイダー用サーバ装置の記憶装置に記憶せしめ、上記端末装置が、上記広告主用サーバ装置に記憶したショップウェブページファイルにアクセスし、上記端末装置のモニタにショップウェブページサイトを表示せしめた時、上記広告主サーバ装置の記憶装置の第四のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記ショップウェブページファイルにアクセスした端末装置の固有番号情報を取得して、上記固有番号情報を上記アフィリエイトサービスプロバイダー用サーバ装置の記憶装置に記憶せしめ、上記端末装置が、上記広告主用サーバ装置に記憶したアクション完了ウェブページファイルにアクセスし、上記端末装置のモニタにアクション完了ウェブページサイトを表示せしめた時、上記広告主用サーバ装置の記憶装置の第五のタグを実行せしめ、上記アフィリエイトサービスプロバイダー用サーバ装置のトラッキング装置にアクセスせしめ、上記アフィリエイトサービスプロバイダー用サーバ装置の演算処理装置が、上記アクセスにより上記アフィリエイトサービスプロバイダー用サーバ装置のトラッキング装置を実行せしめて、上記アクション完了ウェブページファイルにアクセスした端末装置の固有番号情報を取得して、上記固有番号情報を上記アフィリエイトサービスプロバイダー用サーバ装置の記憶装置に記憶せしめ、上記第一のタグにより取得された端末装置の固有番号情報と、上記第四のタグにより取得された端末装置の固有番号情報と、上記第五のタグにより取得された端末装置の固有番号情報とを比較して、一致した場合には、上記端末装置が上記アフィリエイトウェブページサイトから上記ショップウェブページサイトに移動し、所定のアクションが実行されたと判断することを特徴とする。
【発明の効果】
【００１５】
本発明のアフィリエイトサイト管理システム、管理方法及び管理プログラムは、広告主のウェブページのウェブページアドレスと、アフィリエイトウェブページサイトに設けた上記広告主のリンクアドレスを一致せしめることができるので、検索ウェブページサイトのランクを上げることができるという大きな利益がある。
【図面の簡単な説明】
【００１６】
【図１】本発明のアフィリエイトサイト管理システムの概略図である。
【図２】本発明のアフィリエイトサイト管理システムの説明図である。
【図３】本発明のアフィリエイトサイト管理システムのアフィリエイトサービスプロバイダー用サーバ装置の説明図である。
【図４】本発明のアフィリエイトサイト管理システムのアフィリエイター用サーバ装置の説明図である。
【図５】本発明のアフィリエイトサイト管理システムの説明図である。
【図６】本発明のアフィリエイトサイト管理システムの広告主用サーバ装置の説明図である。
【図７】本発明のアフィリエイトサイト管理システムの説明図である。
【発明を実施するための形態】
【００１７】
以下図面によって本発明の実施例を説明する。
【実施例１】
【００１８】
本発明のアフィリエイトサイト管理システムは、図１及び図２に示すように、アフィリエイトサービスプロバイダーが管理するアフィリエイトサービスプロバイダー用サーバ装置１と、アフィリエイターが管理する（自己のウェブページサイトを掲載する）アフィリエイター用サーバ装置２と、広告主が管理する（自己のウェブページサイトを掲載する）広告主用サーバ装置３と、上記各サーバ装置にインターネットなどのネットワーク４を介して接続された携帯電話、パーソナルコンピュータなどのモニタを有する端末装置５とよりなる。
【００１９】
上記アフィリエイトサービスプロバイダー用サーバ装置１は、図３に示すように、ウェブページファイルの情報を取得するファイル情報取得装置６と、アクセスしてきた携帯端末固有のモバイルIDなどのその端末装置の固有番号情報を取得するトラッキング装置７と、上記取得したウェブページファイルの情報及び固有番号情報を対にして記憶等する記憶装置８と、上記ネットワーク４を介してデータを送受信せしめるための送受信装置９と、上記各装置やプログラムを実行せしめるための演算処理装置１０と、上記取得したウェブページファイル情報と固有番号情報の複数を管理する管理装置１１と、ネットワークに接続せしめるためのネットワーク接続装置１２とよりなる。
【００２０】
上記アフィリエイター用サーバ装置２は、図１、図４及び図５に示すように、アフィリエイトウェブページサイト１３a等を上記端末装置５のモニタに表示させるためのアフィリエイトウェブページファイル１４a等を記憶せしめた記憶装置１５と、上記アフィリエイトウェブページファイル１４aをネットワーク４を介して上記端末装置５のモニタに表示せしめるためのウェブサーバ装置１６と、上記ネットワークを介してデータを送受信せしめるための送受信装置１７と、上記各装置やプログラムを実行せしめるための演算処理装置１８と、ネットワークに接続せしめるためのネットワーク接続装置１９とよりなる。
【００２１】
また、上記アフィリエイター用サーバ装置２の記憶装置１５に記憶せしめた上記アフィリエイトウェブページファイル１４aには、上記端末装置５に、広告主用サーバ装置３に記憶した広告主のショップウェブページファイル１４bにアクセスし上記端末装置５のモニタにショップウェブページサイト１３bを表示せしめるリンク、例えば、http://www.abc.netを設け、また、上記端末装置５に、上記端末装置５のモニタに上記アフィリエイトウェブページサイト１３aを表示せしめることにより、上記端末装置５に上記アフィリエイトサービスプロバイダー用サーバ装置１の上記アフィリエイターごとに割り当てられた上記トラッキング装置７にアクセスせしめる第一のタグ（プログラム）を設ける。
【００２２】
なお、上記第一のタグには、上記アフィリエイトウェブページファイル１４aのウェブページファイル情報を上記アフィリエイトサービスプロバイダー用サーバ装置１に通知せしめる機能を設けてもよく、上記ウェブページファイル情報とは、例えば、上記ウェブページサイトに記載された広告主の情報、広告主の商品の情報など、上記ウェブページファイルに記載された情報などをいい、上記ファイル情報取得装置６により判別され、上記記憶装置８に記憶される。
【００２３】
また、上記トラッキング装置７は、上記アフィリエイトウェブページファイル１４aに一般ユーザーが端末装置５によりアクセスし、上記端末装置５のモニタにアフィリエイトウェブページサイトが表示された時に、上記端末装置５に上記第一のタグを実行せしめることによりアクセスされ、上記端末装置５からのアクセスにより上記トラッキング装置７が上記演算処理装置１０により実行され、上記アフィリエイトウェブページにアクセスした端末装置５の固有番号情報を取得し、上記記アフィリエイトサービスプロバイダー用サーバ装置１の記憶装置８に上記アフィリエイター情報等とともに記憶せしめる。
【００２４】
また、上記広告主用サーバ装置３は、図１、図５及び図６に示すように、ショップウェブページサイト１３b等を上記端末装置５のモニタに表示させるためのショップウェブページファイル１４b等を記憶せしめた記憶装置２０と、上記ショップウェブページファイル１４bをネットワーク４を介して上記端末装置５のモニタに表示せしめるためのウェブサーバ装置２１と、上記ネットワーク４を介してデータを送受信せしめるための送受信装置２２と、上記各装置やプログラムを実行せしめるための演算処理装置２３と、ネットワークに接続せしめるためのネットワーク接続装置２４とよりなる。
【００２５】
また、上記広告主用サーバ装置３の記憶装置２０に記憶せしめたショップウェブページファイル１４bには、一般ユーザーが商品を購入したり資料請求などを行うアクション実行プログラム部と、上記端末装置５のモニタに上記ショップウェブページサイト１３bを表示せしめることにより、上記端末装置５に上記アフィリエイトサービスプロバイダー用サーバ装置１の上記広告主ごとに割り当てられた上記トラッキング装置７にアクセスせしめる第二のタグ（プログラム）とを設ける。なお、上記トラッキング装置７は広告主ごとに割り当てられなくてもよい。
【００２６】
なお、上記第二のタグには、上記ショップウェブページファイル１４bのウェブページファイル情報を上記アフィリエイトサービスプロバイダー用サーバ装置１に通知せしめる機能を設けてもよく、上記ウェブページファイル情報とは、例えば、上記ウェブページファイルの広告主の情報、広告商品等などの、上記ウェブページファイルに記載された情報をいい、上記ファイル情報取得装置６により判別され、上記記憶装置８に記憶される。
【００２７】
また、上記トラッキング装置７は、上記ショップウェブページファイル１４bに一般ユーザーが端末装置５によりアクセスし、上記端末装置５のモニタにショップウェブページサイト１３bが表示された時に、上記端末装置５に上記第二のタグを実行せしめることによりアクセスされ、上記端末装置５からのアクセスにより上記トラッキング装置７が上記演算処理装置１０により実行され、上記ショップウェブページサイトにアクセスした端末装置５の固有番号を取得し、上記アフィリエイトサービスプロバイダー用サーバ装置１の記憶装置８に上記広告主情報等ともに記憶せしめる。
【００２８】
また、上記広告主用サーバ装置３の記憶装置２０に記憶せしめた、一般ユーザーが商品を購入したり資料を請求したりするアクションが確定したときに上記端末装置５のモニタにアクション完了ウェブページサイト１３cを表示せしめるアクション完了ウェブページファイル１４cには、上記端末装置５のモニタに上記アクション完了ウェブページサイト１３cを表示せしめることにより、上記端末装置５に上記アフィリエイトサービスプロバイダー用サーバ装置１の上記広告主または商品情報ごとに割り当てられた上記トラッキング装置７にアクセスせしめる第三のタグ（プログラム）とを設ける。
【００２９】
なお、上記第三のタグには、上記アクション完了ウェブページファイル１４cのウェブページファイル情報を上記アフィリエイトサービスプロバイダー用サーバ装置１に通知せしめる機能を設けてもよく、上記ウェブページファイル情報とは、例えば、上記アクション完了ウェブページファイルの商品情報、資料情報など、上記ウェブページファイルに記載された情報をいい、上記ファイル情報取得装置６により判別され、上記記憶装置８に記憶される。
【００３０】
また、上記トラッキング装置７は、上記アクション完了ウェブページファイル１４cに一般ユーザーが端末装置５によりアクセスし、上記端末装置５のモニタにアクション完了ウェブページサイト１３cが表示された時に、上記端末装置５に上記第三のタグを実行せしめることによりアクセスされ、上記端末装置５からのアクセスにより上記トラッキング装置７が上記演算処理装置１０により実行され、上記アクション完了ウェブページサイトにアクセスした端末装置５の固有番号を取得し、上記アフィリエイトサービスプロバイダー用サーバ装置１の記憶装置８に、上記広告主情報等とともに記憶せしめる。
【００３１】
なお、上記ショップウェブページファイル１４bに第二のタグを設ける代わりに、上記広告主用サーバ装置３の記憶装置２０に、上記端末装置５のモニタに上記ショップウェブページサイト１３bを表示するためのアクセスがあった時に、上記端末装置５に上記アフィリエイトサービスプロバイダー用サーバ装置１の上記広告主ごとに割り当てられた上記トラッキング装置７にアクセスせしめる機能を実現させる第四のタグ（プログラム）を設けてもよい。この第四のタグには、上記第二のタグに設けたのと同様に、上記ショップウェブページファイル１４bのウェブページファイル情報を上記アフィリエイトサービスプロバイダー用サーバ装置１に通知せしめる機能を設けてもよい。
【００３２】
また、アクション完了ウェブページファイル１４cに第三のタグを設ける代わりに、上記広告主用サーバ装置３の記憶装置２０に、上記端末装置５に上記アクション完了ウェブページサイト１３cを表示せしめるためのアクセスがあった時に、上記端末装置５に上記アフィリエイトサービスプロバイダー用サーバ装置１の上記広告主または商品情報ごとに割り当てられた上記トラッキング装置７にアクセスせしめる機能を実現させる第五のタグ（プログラム）を設けてもよい。この第四のタグには、上記第三のタグに設けたのと同様に、上記アクション完了ウェブページファイル１４cのウェブページファイル情報を上記アフィリエイトサービスプロバイダー用サーバ装置１に通知せしめる機能を設けてもよい。
【００３３】
また、上記端末装置５は、記憶装置と、演算処理部と、送受信部と、入力装置と、ネットワーク接続部と、画像処理部とよりなる。
【００３４】
なお、上記各装置は上記各記憶装置に記憶されたプログラムであり、上記各演算処理装置により実行されるものである。
【００３５】
本発明のアフィリエイトサイト管理システムは上記のような構成であるから、アフィリエイターはリンクのための広告主のショップウェブページサイト１３bのウェブページアドレス（例えば、http://www.abc.net）と、第一のタグと、上記広告主の商品を紹介した文章、画像など端末装置５のモニタに表示せしめる商品情報とを設けたアフィリエイトウェブページファイル１４aを作成し、アフィリエイター用サーバ装置２に記憶せしめ、ネットワーク４を介して上記アフィリエイトウェブページサイトを公開する。
【００３６】
なお、上記アフィリエイトウェブページサイト１３aはアフィリエイターが管理するウェブページサイトのトップページであっても、他のページであってもよい。
【００３７】
また、広告主は第二のタグと、商品に関する説明等を端末装置５のモニタに表示せしめる商品情報とを設けた、アフィリエイターウェブページサイト１３aに設置してある上記リンクをクリックした後に移動するショップウェブページファイル１４bを作成し、上記広告主用サーバ装置３に記憶せしめ、また、上記第三のタグと、商品を購入したり資料を請求したりするアクションを確定したことなどを端末装置５のモニタに表示せしめる完了情報とを設けたアクション完了ウェブページファイル１４cとを作成し、広告主サーバ装置３に記憶せしめ、上記各ウェブページファイルをネットワーク４を介して上記ショップウェブページサイトとして公開せしめる。
【００３８】
なお、上記第二のタグ又は上記第三のタグを上記ショップウェブページファイル１４b又はアクション完了ウェブページファイル１４cに設けない場合には、上記広告主用サーバ装置３の記憶装置２０に、上記第四のタグ又は第五のタグを設ける。
【００３９】
これにより図７示すように、一般ユーザーはネットワーク４を介して自己の端末装置５によりアフィリエイトウェブページファイル１４aにアクセスすれば、上記端末装置５のモニタにアフィリエイトウェブページサイト１３aを表示せしめ、閲覧することができる（ステップ１）。
【００４０】
このアフィリエイトウェブページサイト１３aの端末装置のモニタへの表示により、上記ウェブページファイル１４aの第一のタグにより、上記端末装置５はアフィリエイターごとに割り当てられたトラッキング装置にアクセスし、上記サーバ装置１のトラッキング装置７が演算処理装置１０により実行され、上記アフィリエイトウェブページファイル１４aにアクセスしてきた一般ユーザーの上記端末装置５の固有番号情報を取得し、上記アフィリエイター情報と固有番号情報とが上記サーバ装置１の記憶装置８に記憶される（ステップ２）。
【００４１】
次に、上記一般ユーザーがアフィリエイトウェブページサイト１３aの上記リンクをクリックすれば（ステップ３）、上記端末装置５は、広告主のショップウェブページファイル１４bにアクセスし、上記端末装置５のモニタに上記ショップウェブページサイト１３bが表示された時に、上記端末装置が上記ウェブページファイル１４bの第二のタグにより上記フィリエイトサービスプロバイダー用サーバ装置１のトラッキング装置７にアクセスし、このアクセスによりトラッキング装置７が演算処理装置１０により実行され、上記ショップウェブページファイル１４bにアクセスしてきた一般ユーザーの上記端末装置の固有番号情報を取得し、上記固有番号情報を上記サーバ装置１の記憶装置８に記憶される（ステップ４）。
【００４２】
なお、第一のタグにより得られた固有番号情報を取得した時間から、所望の時間内に第二のタグにより上記固有番号と同じ固有番号情報が取得されない場合には、上記第一のタグにより得られた固有番号は上記データベースから削除されるようにしてもよい。
【００４３】
そして、一般ユーザーが商品等を購入し、アクション完了ウェブページファイル１４cによりアクション完了ウェブページサイト１３cが端末装置のモニタに表示された場合には（ステップ５）、第三のタグにより上記フィリエイトサービスプロバイダー用サーバ装置１の上記広告主情報ごとに割り当てられたトラッキング装置７にアクセスし、このアクセスによりトラッキング装置７が演算処理装置１０により実行され、上記アクション完了ウェブページファイルにアクセスしている一般ユーザーの上記端末装置５の固有番号情報を取得し、上記広告主情報と固有番号情報とが上記サーバ装置１の記憶装置８に記憶される（ステップ６）。
【００４４】
次に、上記取得された第一のタグによる固有番号情報と、第二のタグによる固有番号情報と、第三のタグによる固有番号情報とが一致するかどうかを、上記サーバ装置１の管理装置１１により判断し、全ての固有番号情報が一致していると判断した場合には、上記アフィリエイトウェブページサイト１３aのリンクから上記広告主のショップウェブページサイト１３bに移動し、所定のアクションが実行されたと判断し（ステップ７）、上記第一のタグから得られた情報からアフィリエイターを特定し、上記第三のタグより得られた情報からアクションを特定し、上記アフィリエイターに報酬を与えるようにする（ステップ８）。
【００４５】
本発明のアフィリエイトサイト管理システム、管理方法及び管理プログラムは、広告主のウェブページのウェブページアドレスと、アフィリエイトウェブページサイトに設けた上記広告主のリンクアドレスを一致せしめることができるので、検索ウェブページサイトのランクを上げることができるという大きな利益がある。
【符号の説明】
【００４６】
１  サーバ装置
２  サーバ装置
３  サーバ装置
４  ネットワーク
５  端末装置
６  ファイル情報取得装置
７  トラッキング装置
８  記憶装置
９  送受信装置
１０   演算処理装置
１１   管理装置
１２   ネットワーク接続装置
１３a  アフィリエイトウェブページサイト
１３b  ショップウェブページサイト
１３c  アクション完了ウェブページサイト
１４a  アフィリエイトウェブページファイル
１４b  ショップウェブページファイル
１４c  アクション完了ウェブページファイル
１５   記憶装置
１６   ウェブサーバ装置
１７   送受信装置
１８   演算処理装置
１９   ネットワーク接続装置
２０   記憶装置
２１   ウェブページサーバ
２２   送受信装置
２３   演算処理装置
２４   ネットワーク接続装置
【図１】
2010061651.tif 000003
【図２】
2010061651.tif 000004
【図３】
2010061651.tif 000005
【図４】
2010061651.tif 000006
【図５】
2010061651.tif 000007
【図６】
2010061651.tif 000008
【図７】
2010061651.tif 000009